(57)【要約】【課題】多機能を有しつつも、高い操作性を備えた情報端末装置、情報端末装置の制御方法、および情報端末装置の制御用プログラムを提供する。【解決手段】通信可能な領域内に存在する外部情報記憶媒体が記憶する情報を所定の電波を用いた非接触の通信によって読み取る第１の情報読取手段、および光学情報記録媒体が記録する情報を光学的に読み取る第２の情報読取手段のうち、処理を起動すべき情報読取手段の切替を行う切替手段と、この切替手段が送出する信号を検知して、前記第１および第２の情報読取手段のうち処理を起動すべき情報読取手段の切替制御を行う制御手段とを備える。【選択図】        図１
2006172321.tif 000002
【特許請求の範囲】
【請求項１】
通信可能な領域内に存在する外部情報記憶媒体が記憶する情報を所定の電波を用いた非接触の通信によって読み取る第１の情報読取手段と、
光学情報記録媒体が記録する情報を光学的に読み取る第２の情報読取手段と、
前記第１および第２の情報読取手段のうち処理を起動すべき情報読取手段への切替を行う切替手段と、
を備えたことを特徴とする情報端末装置。
【請求項２】
前記切替手段が送出する信号を検知して、前記第１および第２の情報読取手段のうち処理を起動すべき情報読取手段の切替制御を行う制御手段、
を更に備えたことを特徴とする請求項１記載の情報端末装置。
【請求項３】
前記切替手段は、
外部からの押圧を受ける押圧部材を備え、
前記押圧部材が押圧を受けた回数に応じて、前記制御手段が前記第１および第２の情報読取手段のうち処理を起動すべき情報読取手段の切替制御を行うことを特徴とする請求項２記載の情報端末装置。
【請求項４】
前記切替手段は、
所定方向に移動自在なスライド部材を備え、
当該スライド部材の停止位置に応じて、前記制御手段が前記第１および第２の情報読取手段のうち処理を起動すべき情報読取手段の切替制御を行うことを特徴とする請求項２記載の情報端末装置。
【請求項５】
前記切替手段は、
前記第１の情報読取手段における処理の起動を指示するために外部からの押圧を受ける第１の押圧部材と、
前記第１の押圧部材と異なる位置に設けられ、前記第２の情報読取手段における処理の起動を指示するために外部からの押圧を受ける第２の押圧部材と、
を備えたことを特徴とする請求項１または２記載の情報端末装置。
【請求項６】
前記第１および第２の押圧部材は、
互いの近傍に配置されて成ることを特徴とする請求項５記載の情報端末装置。
【請求項７】
前記第１および第２の押圧部材は、
互いに対向する位置に配置されて成ることを特徴とする請求項５記載の情報端末装置。
【請求項８】
通信可能な領域内に存在する外部情報記憶媒体が記憶する情報を所定の電波を用いた非接触の通信によって読み取る第１の情報読取手段と、光学情報記録媒体が記録する情報を光学的に読み取る第２の情報読取手段とを備える情報端末装置の制御方法であって、
外部から入力される所定の信号を検知する回数に応じて、前記第１および第２の情報読取手段のうち処理を起動すべき情報読取手段の切替制御を行うことを特徴とする情報端末装置の制御方法。
【請求項９】
請求項８記載の情報端末装置の制御方法をコンピュータに実行させることを特徴とする情報端末装置の制御用プログラム。
【発明の詳細な説明】
【技術分野】
【０００１】
本発明は、通信可能な領域内に存在する外部情報記憶媒体に対し所定の電波を用いた非接触の通信により、その外部情報記憶媒体が記憶する情報を読み取る一方、光学情報記録媒体情報が記録する情報を光学的に読み取る情報端末装置、情報端末装置の制御方法、および情報端末装置の制御用プログラムに関する。
【背景技術】
【０００２】
近年、非接触の無線通信によって通信対象となる外部情報記憶媒体である無線ＩＣ（Integrated Circuit）タグに情報を書き込んだり、無線ＩＣタグから発せられる情報を読み込んだりするためのＲＦＩＤ（Radio Frequency Identification）機能を搭載した情報端末装置が提案されている。
【０００３】
このような情報端末装置において、非接触無線通信による外部情報記憶媒体からの情報の読取またはその外部情報記憶媒体への情報の書込を行う機能に加えて、光学情報記録媒体に記憶されている情報を光学的に読取を行う機能を更に備えた技術も開示されている（例えば特許文献１を参照）。
【０００４】
【特許文献１】特開２００１−２２９３３７号公報
【発明の開示】
【発明が解決しようとする課題】
【０００５】
しかしながら、上記の如く多機能を有する情報端末装置では、各機能を操作するための操作ボタン等が増加してレイアウトが複雑化しており、その情報端末装置を利用する者が所望の機能を操作する際にわかりづらく、快適な操作の妨げとなっていた。
【０００６】
本発明は、上記に鑑みてなされたものであり、多機能を有しつつも、高い操作性を備えた情報端末装置、情報端末装置の制御方法、および情報端末装置の制御用プログラムを提供することを目的とする。
【課題を解決するための手段】
【０００７】
上述した課題を解決し、目的を達成するために、請求項１記載の発明は、通信可能な領域内に存在する外部情報記憶媒体が記憶する情報を所定の電波を用いた非接触の通信によって読み取る第１の情報読取手段と、光学情報記録媒体が記録する情報を光学的に読み取る第２の情報読取手段と、前記第１および第２の情報読取手段のうち処理を起動すべき情報読取手段への切替を行う切替手段と、を備えたことを特徴とする情報端末装置である。
【０００８】
請求項２記載の発明は、請求項１記載の発明において、前記切替手段が送出する信号を検知して、前記第１および第２の情報読取手段のうち処理を起動すべき情報読取手段の切替制御を行う制御手段、を更に備えたことを特徴とする。
【０００９】
請求項３記載の発明は、請求項２記載の発明において、前記切替手段は、外部からの押圧を受ける押圧部材を備え、前記押圧部材が押圧を受けた回数に応じて、前記制御手段が前記第１および第２の情報読取手段のうち処理を起動すべき情報読取手段の切替制御を行うことを特徴とする。
【００１０】
請求項４記載の発明は、請求項２記載の発明において、前記切替手段は、所定方向に移動自在なスライド部材を備え、当該スライド部材の停止位置に応じて、前記制御手段が前記第１および第２の情報読取手段のうち処理を起動すべき情報読取手段の切替制御を行うことを特徴とする。
【００１１】
請求項５記載の発明は、請求項１または２記載の発明において、前記切替手段は、前記第１の情報読取手段における処理の起動を指示するために外部からの押圧を受ける第１の押圧部材と、前記第１の押圧部材と異なる位置に設けられ、前記第２の情報読取手段における処理の起動を指示するために外部からの押圧を受ける第２の押圧部材と、を備えたことを特徴とする。
【００１２】
請求項６記載の発明は、請求項５記載の発明において、前記第１および第２の押圧部材は、互いの近傍に配置されて成ることを特徴とする。
【００１３】
請求項７記載の発明は、請求項５記載の発明において、前記第１および第２の押圧部材は、互いに対向する位置に配置されて成ることを特徴とする。
【００１４】
請求項８記載の発明は、通信可能な領域内に存在する外部情報記憶媒体が記憶する情報を所定の電波を用いた非接触の通信によって読み取る第１の情報読取手段と、光学情報記録媒体が記録する情報を光学的に読み取る第２の情報読取手段とを備える情報端末装置の制御方法であって、外部から入力される所定の信号を検知する回数に応じて、前記第１および第２の情報読取手段のうち処理を起動すべき情報読取手段の切替制御を行うことを特徴とする。
【００１５】
請求項９記載の発明は、請求項８記載の情報端末装置の制御方法をコンピュータに実行させることを特徴とする情報端末装置の制御用プログラムである。
【００１６】
この発明におけるコンピュータとは、制御機能、演算機能、入出力機能、記憶機能を備えた電子的な装置である。
【発明の効果】
【００１７】
本発明によれば、通信可能な領域内に存在する外部情報記憶媒体が記憶する情報を所定の電波を用いた非接触の通信によって読み取る第１の情報読取手段、および光学情報記録媒体が記録する情報を光学的に読み取る第２の情報読取手段のうち、処理を起動すべき情報読取手段の切替制御を行うことにより、多機能を有しつつも、高い操作性を備えた情報端末装置、情報端末装置の制御方法、および情報端末装置の制御用プログラムを提供することができる。
【発明を実施するための最良の形態】
【００１８】
以下、添付図面を参照して本発明の実施の形態を説明する。
【００１９】
（実施の形態１）
図１は、本発明の実施の形態１に係る情報端末装置の機能構成の概略を示すブロック図である。同図に示す情報端末装置１は、通信可能な領域内に存在する外部情報記憶媒体が記憶する情報を所定の電波を用いた非接触の通信によって読み取る機能と、光学情報記録媒体が記録する情報を光学的に読み取る機能とを有する。
【００２０】
この情報端末装置１は、情報の入力を受ける入力部２、無線ＩＣタグ（ＲＦタグまたはＲＦＩＤタグともいう）や非接触型ＩＣカード等の外部情報記憶媒体との間で無線通信を行うために電波を送受信するアンテナ３、アンテナ３の駆動制御を行って少なくとも外部情報記憶媒体から情報の読取を行うＲＦＩＤ処理部４、光学情報記録媒体から光学的に情報の読取を行う光学情報読取部５、ＲＦＩＤ処理部４および光学情報読取部５における情報読取処理の切替を行う処理切替部６、外部情報記憶媒体または光学情報記録媒体から読み取った情報等を表示出力する表示部７を有する。また、情報端末装置１は、外部との通信を行う外部通信部８と、所定の記憶媒体に情報を記録するカードインターフェース９と、音声情報の入出力を行う音声入出力部１０と、各種処理を行うためのプログラムおよびこのプログラムに用いるデータを記憶する記憶部１１と、前述した各部が有する機能を制御する制御部１２とを更に有する。
【００２１】
入力部２は、情報端末装置１を利用する者（以後、単に利用者と呼ぶ）からの情報の入力を受け、その入力された情報を制御部１２へ送出するものであり、利用者が所望の情報を入力するための複数の入力キーと、この複数の入力キーにそれぞれ対応する信号を発生する複数のスイッチとを有する。
【００２２】
アンテナ３は、アルミニウム、チタン−ニッケル合金、銅合金、またはステンレス等の金属を打ち抜いた矩形断面を有する板状の導電体を用いて実現され、通信可能な領域内に存在する外部情報記憶媒体との間で、ＲＦＩＤ処理部４から入力された電気信号に対応する所定の周波数の電波を出力する一方、外部情報記憶媒体から出力された電波を受信し、この受信した電波に対応する電気信号をＲＦＩＤ処理部４に送出する。ここで、所定の周波数の電波として、４００〜５３０ｋＨｚ、１２５〜１５０ｋＨｚ、１３.５６ＭＨｚ、８６０〜９６０ＭＨｚ、２.４５ＧＨｚなどの周波数帯域にある電磁波（電波）を用いることができる。なお、アンテナ３の断面は、矩形断面に限られるわけではなく、円形断面でもよい。
【００２３】
ＲＦＩＤ処理部４は、アンテナ３の駆動制御を行う駆動制御処理部として機能する。すなわち、ＲＦＩＤ処理部４は、アンテナ３に電気信号を送出し、アンテナ３から所定の周波数を有する電波を出力させることによって所望の非接触無線通信を行う。また、ＲＦＩＤ処理部４は、アンテナ３と外部情報記憶媒体との間で送受信される電波を介し、少なくともその外部情報記憶媒体に対する情報読取処理を行う。
【００２４】
光学情報読取部５は、赤外光または可視光を走査光として光学情報記録媒体に対して投光する半導体レーザ素子または発光ダイオード等の光源と、光学情報記録媒体からの走査光の反射光を受光するＣＣＤ（Charge Coupled Device）やＣＭＯＳ（Complementary Metal Oxide Semiconductor）等のイメージセンサまたはフォトセンサ等の受光素子とを有する。
【００２５】
処理切替部６は、利用者が処理の切替を指示する操作を行う切替キーと、この切替キーに対応する信号を発生するスイッチとを有する。この実施の形態においては、利用者が切替キーを操作する回数に応じて、制御部１２がＲＦＩＤ通信による外部情報記憶媒体からの読取処理（ＲＦＩＤ読取処理）および光学情報記録媒体からの読取処理（光学情報読取処理）の切替を行う。
【００２６】
表示部７は、液晶表示装置（ＬＣＤ：Liquid Crystal Display）または有機ＥＬ（Electroluminescence）パネル等の薄型ディスプレイによって実現され、ＲＦＩＤ処理部４が読み取った情報、外部情報記憶媒体に送信する書込指示情報に含まれる書込情報、または光学情報読取部５が読み取った情報等を表示出力する。なお、表示部７は、情報端末装置１の処理動作に何らかのエラーが発生した場合に、このエラーを報知する所定のエラー表示を表示出力するようにすることもできる。
【００２７】
外部通信部８は、ＲＳ２３２Ｃ（Recommended Standard 232 version C）、ＵＳＢ（Universal Serial Bus）、ＩＥＥＥ１３９４等の外部通信用インタフェース、またはＩｒＤＡ（Infrared Data Association）規格に準拠した赤外線通信インタフェース等を用いて実現され、外部のホストコンピュータ（図示せず）やプリンタ等の周辺機器（図示せず）に対する情報通信を行う。この外部通信部８は、外部情報記憶媒体または光学情報記録媒体に対する情報読取処理で読み取った情報等が入力された場合、その情報を外部のホストコンピュータまたは周辺機器に送出する。また、外部通信部８は、制御部１２の処理動作を制御する各種情報が外部のホストコンピュータから入力された場合、その情報を制御部１２に送出する。なお、外部通信部８は、外部のホストコンピュータまたは周辺機器の各端子に電気的に接続可能な共用端子を用いて実現することもできる。
【００２８】
カードインターフェース９は、制御部１２から入力された情報を、自身に装着される所定の記憶媒体に記憶する一方、その装着された記憶媒体から所望の情報を読み取る機能を有する。カードインターフェース９に装着される記憶媒体は、例えば、ｘＤピクチャーカード、スマートメディア、メモリスティック、マルチメディアカード、ＳＤ（Secure Digital）メモリカード等である。なお、このカードインターフェース９を、メモリカード型のＬＡＮ（Local Area Network）カードを装着可能な無線ＬＡＮモジュールなどによって実現してもよい。
【００２９】
音声入出力部１０は、マイクロフォンおよびスピーカを用いて実現され、外部からの音声情報を入力し、この入力した音声情報を制御部１２に送出する。また、音声入出力部１０は、制御部１２から入力された音声情報を外部に出力する。なお、音声入出力部１０は、各構成部位による処理の開始または完了を報知する所定の報知音を出力したり、情報端末装置１に処理動作に関するエラーが発生したとき、表示部７によるエラー表示の出力と同期して所定のエラー報知音を出力したりすることもできる。
【００３０】
記憶部１１は、所定のＯＳ（Operation System）を起動するプログラムや制御用プログラム等が予め記憶されたＲＯＭ（Read Only Memory）と、各処理の演算パラメータ、外部情報記憶媒体または光学情報記録媒体から読み取った各種情報、外部情報記憶媒体に書き込んだ情報、および音声情報等を記憶するＲＡＭ（Random Access Memory）とを用いて実現される。この実施の形態においては、記憶部１１には、処理切替部６からの切替指示に応じた読取処理の対応を記録する処理対応テーブル１１ｔが格納されている。
【００３１】
制御部１２は、演算および制御機能を有するＣＰＵ（Central Processing Unit）等によって実現され、記憶部１１に記憶格納されている制御用プログラムを読み出すことによって上記各機能部の動作処理の制御を行う。なお、制御用プログラムをカードインターフェース９に装着される記憶媒体に記憶させておき、制御部１２がその記憶媒体から制御用プログラムを読み出すことによって上記各機能部の動作処理の制御を行うことも可能である。また、制御部１２は、外部通信部８を介して、ＲＦＩＤ処理部４および光学情報読取部５から入力された情報を外部のホストコンピュータに送出し、その後、このホストコンピュータによって情報処理がなされた情報を受信するようにしてもよい。
【００３２】
図２は、情報端末装置１の具体的な一構成例を示す分解斜視図である。なお、この図２は、この実施の形態に係る情報端末装置１の特徴を抽出するために、その情報端末装置１の要部を模式的に記載したものである。
【００３３】
図２に示す情報端末装置１は、例えばポリカーボネート（ＰＣ）樹脂またはＡＢＳ（Acrylonitrile Butadiene Styrene）樹脂などの非導電性材料を用いた成形加工によって形成される二つの筐体部材１３および１４を相互に嵌合することによって装置筐体部分が形成されている。図２に示す場合には、組立時に、予め筐体部材１３の下端面に設けられた突起部（図示せず）と筐体部材１４に設けられた溝部（図示せず）との間に両筐体部材の外縁に適合する形状を備えた弾性部材１５を介在させ、この弾性部材１５を挟んだ状態で両筐体部材を嵌合することによって装置筐体部分を形成する。弾性部材１５は、装置筐体部分を組み立てるときに加わる力によって弾性変形を生じ、二つの筐体部材１３および１４の間に生じる隙間を充填する。
【００３４】
情報端末装置１を組み立てる際には、弾性部材１５と各筐体部材１３および１４の間に適当な接着剤を塗布しておいてもよい。また、図示はしないが、筐体部材１３および１４に更にねじ穴を設け、このねじ穴に適合するねじを用いることによって両筐体部材を締結することも可能である。なお、弾性部材１５を用いずに、二つの筐体部材１３および１４から装置筐体部分を構成してもよい。
【００３５】
筐体部材１３には、複数の入力キーから成る操作部２１が取り付けられている。操作部２１に設けられる入力キーとしては、図２に示すようなボタン以外の入力デバイス、より具体的にはトラックポイント、トラックボール、タッチパネル等の入力デバイスを設置してもよい。この意味で、この実施の形態および後述する各実施の形態では、「入力キー」と称してそれらの各種入力デバイスも含み得る。また、筐体部材１３には、表示部７の表示内容を外部に表示するための開口部が設けられており、この開口部には、表示窓１３１が取り付けられる。
【００３６】
この筐体部材１３の側面には、ＲＦＩＤ読取処理および光学情報読取処理の切替を行う切替キーとして、利用者が押圧することによって切替指示を出す押圧部材６１が更に設けられる。この実施の形態では、押圧部材６１が外部からの押圧を受け、内部に設けられるスイッチ部６２が電気的に接続することにより、スイッチ部６２が切替信号を制御部１２に送出する。
【００３７】
筐体部材１４の底面部には、光学情報読取部５から照射される光を装置外部に投光するための開口部１４１が設けられる。また、筐体部材１４は、情報端末装置１の電源１９を収納する電源収納部１４２ａを有しており、電源カバー１４２ｂを底面部の外側から装着することによって電源１９を収納する。
【００３８】
この筐体部材１４の内側底面部には、ループ状のアンテナ３（アンテナコイル）が設置される。ここでいうループのより具体的な形状は、略円形、略楕円形、略四角形等の形状である。このアンテナ３のなすループ内部の面積が大きいほど、受信する電波に対する感度を向上させることができ、通信対象である外部情報記憶媒体との間で良好な通信を行うことが可能となる。なお、図２に示すアンテナ３がループをなしているのは、ＲＦＩＤ通信方式として、例えば電波の周波数帯が１３.５６ＭＨｚ近傍の場合に適用される電磁誘導方式を想定しているためであり、アンテナ３が必ずしもこのような形状を有するとは限らない。
【００３９】
次に、装置筐体部分の内部に収納される各部材について説明する。操作部２１が設置されている場所の装置筐体部分の内側には、複数のスイッチを有するスイッチ部２２が設けられ、これらの操作部２１とスイッチ部２２とが入力部２をなす。このスイッチ部２２の各スイッチは、対応する入力キーが外部からの操作を受けると電気的に接続した状態（オン状態）となり、その操作された入力キーに対応する信号を制御部１２に送出する。
【００４０】
また、装置筐体部分内部の押圧部材６１に対応する位置には、スイッチ部６２が設けられている。このスイッチ部６２は、押圧部材６１の外部からの押圧を検出し、その検出した信号を制御部１２に送出する。これらの押圧部材６１とスイッチ部６２とが切替手段としての処理切替部６を実現する。なお、スイッチ部６２は、制御部１２を配備した配線基板とリード線等で接続されている。
【００４１】
表示窓１３１内部の表示部７、およびこの表示部７の略下部に設けられるシールド板１６は、筐体部材１３に固着されるホルダー１７内部に収納される。シールド板１６は、表示部７と制御部１２との間に介在し、アルミニウムまたは銅等の金属から成る。このシールド板１６は、制御部１２の作動等によって発生する電磁波を遮蔽する機能を有しており、表示部７が電磁波に起因して誤表示を起こすことを防止する。
【００４２】
ホルダー１７の底面、すなわち表示部７およびシールド板１６を収納する側の面と反対側の面の下部には、制御部１２（より具体的には、ＣＰＵを含む各種実装部品から構成される電子回路）を搭載する配線基板１８が配置され、筐体部材１３または１４に固着されている。この配線基板１８としては、ポリイミド等から成り、柔軟性を備えた単層または多層のフレキシブル基板（ＦＰＣ：Flexible Printed Circuit）を用いることができる。なお、配線基板１８上にカードインターフェース９をさらに設置して、このカードインターフェース９に着脱可能な記憶媒体を装着する構成にしてもよい。
【００４３】
ところで、図２では、配線基板１８と各機能処理部との間の電気的な接続について具体的に図示していないが、この電気的な接続は、例えばフレキシブル基板によって形成されるコネクター等の接続手段を適宜用いることによって実現される。また、図２では、画像処理機能を有する画像処理部についても制御部１２の一機能として配線基板１８上に設けているが、この画像処理部については別の配線基板を用意して、表示部７やシールド板１６とともにホルダー１７内部に収納してもよい。さらに、この装置筐体部分の内部には、音声入出力部１０をなすマイクロフォンおよびスピーカを設けることも可能である。
【００４４】
次に、以上の構成を有する情報端末装置１が行う情報読取処理の切替制御について詳細に説明する。この実施の形態では、利用者が押圧部材６１を操作（押圧）した回数に応じて、起動すべき読取処理が切り替わる。より具体的には、押圧部材６１が１回押圧された場合には、光学情報読取部５が起動して光学情報読取処理を行う。また、押圧部材６１が２回押圧された場合には、ＲＦＩＤ処理部４が起動してＲＦＩＤ読取処理を行う。さらに、押圧部材６１が３回押圧された場合には、二つの読取処理が起動していない初期状態に戻る。図３は、記憶部１１が記憶する処理対応テーブルの概要を示す説明図である。同図に示す処理対応テーブル１１ｔにおいては、制御部１２が押圧部材６１の押圧を検知した回数と、この検知した回数に応じて制御部１２が行うべき処理とが上述したように対応付けられている。
【００４５】
図４は、この実施の形態に係る情報端末装置の制御方法の概要を示すフローチャートである。同図を用いて、情報端末装置１が行う情報読取処理の切替制御の詳細について説明する。まず利用者が押圧部材６１を１回押圧し、この信号をスイッチ部６２で検知した後（ステップＳ１０１でＹＥＳ）、所定時間内に２回目の信号が検知されなければ（ステップＳ１０２でＮＯ）、制御部１２は、光学情報読取処理が選択されたと判断し、光学情報読取部５を起動する（ステップＳ１０３）。ここでいう「所定時間」とは、利用者が押圧部材６１を２回押圧するつもりであったとき、１回目の押圧から２回目の押圧までに要する程度の時間であり、その値は多くの利用者にとって快適な操作性を保証できるような値として適宜設定される。この意味では、情報端末装置１の利用者が予め所定時間を設定するようにしてもよい。なお、このステップＳ１０１では、信号が検知されない場合（ＮＯ）には待機状態にあるものとする。
【００４６】
ここで、所定時間経過した後に、利用者が押圧部材６１を操作することもあり得る。これは、例えば光学情報読取部５から発光される光を見ることによって利用者が所望する処理（この場合にはＲＦＩＤ処理）ではないことに気づき、改めて押圧部材６１を操作した場合などである。このような場合、すなわち１回目の信号検知から所定時間以上経過した後に、２回目の信号を検知した場合（ステップＳ１０４でＹＥＳ）には、いったん起動した光学情報読取部５を終了し（ステップＳ１１０）、後述するステップＳ１１２へと進む。
【００４７】
これに対し、ステップＳ１０４において２回目の信号を検知しない場合（ステップＳ１０４でＮＯ）には、そのまま光学情報読取部５の動作を続行し、光学情報記録媒体からの光学情報の読取を行う（ステップＳ１０５）。
【００４８】
このステップＳ１０５における光学情報読取処理の詳細について説明する。制御部１２が光学情報読取部５を起動すると、光学情報読取部５は、外部にある光学情報記録媒体に対して光学情報読取処理を行う。この場合、光学情報読取部５は、光学情報記録媒体に対して赤外光または可視光を走査光として投光する一方、その光学情報記録媒体からの走査光の反射光を受光し、この受光した反射光に基づいて光学情報記録媒体の情報を光学的に読み取る。その後、光学情報読取部５は、読み取った情報を制御部１２に送出し、光学情報読取処理を達成する。
【００４９】
以上説明した光学情報読取処理の結果、所望の情報を読み取った場合（ステップＳ１０６でＹＥＳ）には、制御部１２が、その読み取った情報を光学情報読取部５から受け取って記憶部１１への書き込みを行い（ステップＳ１０７）、光学情報読取部５の操作を終了する（ステップＳ１０８）。他方、光学情報の読取を行ったにもかかわらず実際に読み取ることができなかった場合（ステップＳ１０６でＮＯ）には、ステップＳ１０４に戻る。これは、例えば利用者の操作ミスによって光学情報読取部５が正確に光学情報記録媒体の方向を向いていなかったり、利用者が依然として所望の処理でないことに気づいていない場合などに起こり得る。
【００５０】
この後、制御部１２は、例えば自身が有するＲＡＭに設けられる信号検知用のカウンタをリセットし（ステップＳ１０９）、すべての処理を終了する。情報端末装置１がその後も起動を続けている場合には、ステップＳ１０９の後にステップＳ１０１に戻り、再び切替信号を検出するまで待機してもよい。
【００５１】
なお、ステップＳ１０５の開始以降に２回目の信号を検知する可能性もあるが、いったん光学情報記録媒体からの情報の読取が始まり、読み取った情報がある場合には、少なくとも読取処理によって情報の読取を行ったかどうかを判定するステップＳ１０６の判断処理までは行う。
【００５２】
また、ステップＳ１０６で情報を読み取らなかった場合には、上述したようにステップＳ１０４に戻る代わりに、ステップＳ１０８に進んで光学情報読取部５の処理を終了してもよいし、表示部７でエラーメッセージを表示して、その後の処理、例えば光学情報読取部５の処理を終了してＲＦＩＤ処理部４を起動したり、あるいは光学情報読取処理を正しく行うために、開口部１４１を光学情報記録媒体に正確に対向させたりする処理の選択を利用者に促してもよい。
【００５３】
次に、ステップＳ１０２において、所定時間内に２回目の信号を検知した場合（ＹＥＳ）について説明する。この場合には、２回目の信号検知から所定時間内に、３回目の信号を更に検知するかどうかで実行する処理が変わる。まず、所定時間内に３回目の信号を検出しなかった場合（ステップＳ１１１でＮＯ）には、ＲＦＩＤ処理部４を起動する（ステップＳ１１２）。
【００５４】
ステップＳ１０４における場合と同様に、タイミングが合わずにＲＦＩＤ処理部４を起動した後で利用者が押圧部材６１を押圧することもある。この場合のように、ＲＦＩＤ処理部４が起動してから３回目の切替信号を検知した場合（ステップＳ１１３でＹＥＳ）には、いったん起動していたＲＦＩＤ処理部４を終了し（ステップＳ１１８）、信号検知用カウンタをリセットし（ステップＳ１０９）、一連の処理を終了する。
【００５５】
他方、ＲＦＩＤ処理部４が起動した後に３回目の信号が検出されない場合（ステップＳ１１３でＮＯ）には、ＲＦＩＤ処理部４がアンテナ３を介して外部情報記憶媒体からの情報の読取を行う（ステップＳ１１４）。
【００５６】
このステップＳ１１４におけるＲＦＩＤ読取処理の概要を説明する。外部情報記憶媒体からの情報の読取を指示する読取指示情報を制御部１２から受信したＲＦＩＤ処理部４は、この読取指示情報に対応する電気信号を必要に応じて変調する。アンテナ３は、ＲＦＩＤ処理部４から受信した電気信号に対応する所定の電波を送出する。この電波を受信した外部情報記憶媒体は、その電波に含まれる読取指示情報に基づいて、自身が記憶する情報に対応する電波を出力する。アンテナ３は、外部情報記憶媒体から出力された電波を受信し、この受信した電波に対応する電気信号をＲＦＩＤ処理部４に送出する。ＲＦＩＤ処理部４は、アンテナ３から受信した電気信号を必要に応じて復調する。その後、ＲＦＩＤ処理部４は、その電気信号に基づいて得られた情報を外部情報記憶媒体に記憶された情報として制御部１２に送出する。これにより、外部情報記憶媒体からの情報読取処理が達成される。
【００５７】
以上説明した外部情報記憶媒体からの情報の読取によって読み取った情報がある場合（ステップＳ１１５でＹＥＳ）には、制御部１２が、この読み取った情報を記憶部１１に書き込む（ステップＳ１１６）。その後、ＲＦＩＤ処理部４の処理を終了し（ステップＳ１１７）、信号検知用カウンタのリセットを行って（ステップＳ１０９）、一連の処理を終了する。
【００５８】
これに対し、通信可能領域内に外部情報記憶媒体が存在しない等の理由により、外部情報記憶媒体から情報を読み取ることができなかった場合（ステップＳ１１５でＮＯ）には、ステップＳ１１３に戻る。ここでステップＳ１１３に戻る代わりに、そのままステップＳ１１７に進んでＲＦＩＤ処理部４の処理を終了してもよいし、その際には表示部７でエラーメッセージ（例えば、読取可能な外部情報記憶媒体が存在しない旨のメッセージ）を表示してもよい。
【００５９】
なお、ここまではＲＦＩＤ処理部４の読取処理についてのみ、その概要を述べたが、ＲＦＩＤ処理部４では情報の書込処理も行うことができる。以下、情報端末装置１における外部情報記憶媒体への情報の書込処理の概要を説明する。入力された書込指示情報が制御部１２を介してＲＦＩＤ処理部４に送出されると、ＲＦＩＤ処理部４は、その書込指示情報に対応する電気信号を必要に応じて変調する。アンテナ３は、ＲＦＩＤ処理部４の制御のもと、ＲＦＩＤ処理部４から受信した電気信号に対応する所定の電波を送出する。
書込指示情報に対応する電気信号を受信した外部情報記憶媒体は、その受信した電気信号に含まれる指示に基づいて書込情報を記憶または上書きする。これにより、外部情報記憶媒体に対する情報書込処理が達成される。
【００６０】
以上の説明においては、押圧部材６１を１回押圧したときに光学情報読取部５が先に起動したが、これとは逆、すなわち押圧部材６１を１回操作したときにＲＦＩＤ処理部４を先に起動するようにしてもよい。また、ＲＦＩＤ処理部４と光学情報読取部５の起動順序については、入力キーを用いることによって利用者が所望の順序に変更できるようにしてもよい。
【００６１】
以上説明した本発明の実施の形態１によれば、ＲＦＩＤ通信による外部情報記憶媒体からの情報の読取と光学情報記録媒体からの情報の読取を一つの切替キーで切り替えることにより、多機能を有しつつも、高い操作性を備える情報端末装置、情報端末装置の制御方法、および情報端末装置の制御用プログラムを提供することが可能となる。
【００６２】
また、この実施の形態によれば、読取処理の切替を一つの切替キーで行うことができるので、装置のレイアウトを考慮する際にも支障がなく、装置の小型化を図る上で好適である。
【００６３】
上述した実施の形態１の変形例について説明する。この実施の形態の一変形例の特徴は、ＲＦＩＤ処理部４および光学情報読取部５が同時に読取処理を行い得ることにある。図５は、この実施の形態の一変形例に係る情報端末装置の制御方法の概要を示すフローチャートである。同図を用いて、情報端末装置１の制御方法の一変形例について説明する。
【００６４】
利用者が押圧部材６１を１回押圧し、この信号をスイッチ部６２で検知した後（ステップＳ２０１でＹＥＳ）、所定時間内に２回目の信号が検知されなければ（ステップＳ２０２でＮＯ）、制御部１２は、光学情報読取処理が選択されたと判断し、光学情報読取部５を起動する（ステップＳ２０３）。なお、このステップＳ２０１では、信号が検知されない場合（ＮＯ）には待機状態にあるものとする。ここでいう「所定時間」とは、図４を用いて説明した場合と同様に、利用者が初めから押圧部材６１を２回押圧するつもりであったときに１回目の押圧から２回目の押圧までに要する程度の時間である。
【００６５】
この一変形例においても、所定時間経過後に利用者が押圧部材６１を押圧することも起こり得るので、続くステップＳ２０４では２回目の信号を検知するかどうかによって処理を変える。まず、２回目の信号を検知しない場合（ステップＳ２０４でＮＯ）には、そのまま光学情報読取部５の動作を続行して光学情報記録媒体からの情報を読み取る（ステップＳ２０５）。このステップＳ２０５で所望の情報を読み取った場合（ステップＳ２０６でＹＥＳ）には、その読み取った情報を記憶部１１へ書き込み（ステップＳ２０７）、光学情報読取部５の処理を終了する（ステップＳ２０８）。その後、信号検知用カウンタをリセットして（ステップＳ２０９）、一連の処理を終了する。ここでも、ステップＳ２０１に戻って新たな信号が利用者から入力されるのを待機してもよい。なお、ステップＳ２０６で光学情報読取部５が情報を読み取れなかった場合（ＮＯ）には、ステップＳ２０４に戻って処理を繰り返す。
【００６６】
次に、ステップＳ２０２またはステップＳ２０４で２回目の信号を検知した場合（ＹＥＳ）について説明する。この場合には、ステップＳ２１０に進み、２回目の信号検知から所定時間内に３回目の信号を検知したかどうかで実行する処理が変わる。
【００６７】
まず、２回目の信号検知から所定時間内に３回目の信号を検知しなかった場合（ステップＳ２１０でＮＯ）には、ステップＳ２１１に進む。このステップＳ２１１では、光学情報読取部５が起動済みの場合（ＹＥＳ）には、ＲＦＩＤ処理部４を起動する（ステップＳ２１２）。これに対して、光学情報読取部５が起動していない場合（ステップＳ２１１でＮＯ）には、ＲＦＩＤ処理部４と光学情報読取部５の両方を起動する（ステップＳ２１３）。
【００６８】
ステップＳ２１２またはステップＳ２１３の後、利用者が３回目の押圧部材６１操作を行う可能性もある。このような場合（ステップＳ２１４でＹＥＳ）には、いったん起動した光学情報読取部５およびＲＦＩＤ処理部４の処理を終了し（ステップＳ２１８）、信号検知用カウンタのリセット処理（ステップＳ２０９）を行って、一連の処理を終了する。
【００６９】
これに対して、ステップＳ２１４で３回目の信号を検知しない場合（ＮＯ）、ＲＦＩＤ処理部４が外部情報記憶媒体からの情報の読取を行うとともに、光学情報読取部５が光学情報記録媒体からの情報の読取を行う（ステップＳ２１５）。そして、これら二つの読取処理のうち、少なくとも一方の読み取り情報がある場合（ステップＳ２１６でＹＥＳ）には、その読み取った情報を記憶部１１に書き込み（ステップＳ２１７）、この書込処理が終了した時点でＲＦＩＤ処理部４および光学情報読取部５を終了する（ステップＳ２１８）。この後は、上述したステップＳ２０９に進み、一連の処理を終了する。ステップＳ２１６で読み取り情報がない場合（ＮＯ）には、ステップＳ２１４に戻る。なお、図５において、ステップＳ２１４、Ｓ２１５、およびＳ２１６では、二つの並列的な処理をまとめて記載してあるが、これは記載を簡潔にするための処置に過ぎない、すなわち、それら二つの処理は互いに独立であり、処理の進度には時間差が生じ得ることは勿論である。
【００７０】
次に、ステップＳ２１０で、２回目の信号検知から所定時間内に３回目の信号を検知した場合（ＹＥＳ）を説明する。この場合、光学情報読取部５が起動済であれば（ステップＳ２１９でＹＥＳ）、光学情報読取部５の動作を終了し（ステップＳ２２０）、上述したステップＳ２０９に進む。他方、光学情報読取部５が起動していない場合（ステップＳ２１９でＮＯ）には、そのままステップＳ２０９に進む。
【００７１】
以上説明した実施の形態１の一変形例によれば、上述した実施の形態１と同様の効果、すなわち多機能を有しつつも、高い操作性を備える情報端末装置、情報端末装置の制御方法、および情報端末装置の制御用プログラムを提供することができる。また、この一変形例によれば、二つの読取操作を同時に行うことができるので、二つの読取を同時に行う場合には、処理が一段と迅速になる。
【００７２】
なお、この一変形例においても、ＲＦＩＤ処理部４を先に起動するように設定することができる。また、ＲＦＩＤ処理部４と光学情報読取部５の起動順序を利用者によって設定可能にすることもできる。
【００７３】
以下、この実施の形態の更に別の変形例を説明する。この変形例は、押圧部材６１および対応するスイッチ部６２が、２段動作タイプのタクトスイッチから構成される。図６は、この場合に押圧部材６１の押下に応じたスイッチの接続状態を説明する図である。同図に示すタクトスイッチは、押圧部材６１を押下していない状態（図６−１、スイッチＳＷ１およびＳＷ２とも未接続）、押圧部材６１を１段押下した状態（図６−２、スイッチＳＷ１のみ接続）、および押圧部材６１を押下しきった状態（図６−３、スイッチＳＷ１およびＳＷ２とも接続）の３つの状態をとる。そして、これらの３つの状態の各々に対して、ＲＦＩＤ処理部４および光学情報読取部５の起動状態を適宜割り当てる。
【００７４】
割り当て方法の一例をあげる。まず、押圧部材６１を１段押下した状態を押圧部材６１を１回押圧した場合に対応させ、押圧部材６１を押下しきった状態を押圧部材６１を２回押圧した場合に対応させる。その後、押圧部材６１を図６−１に示す初期状態にいったん戻した後で再度２段押下し切った状態を、押圧部材６１を３回押圧した状態に対応付ける。このようにして、図２に示す押圧部材６１の押圧回数と対応付けることにより、図４または図５を用いて説明した情報読取処理の切替制御を実現することができる。
【００７５】
（実施の形態２）
図７は、本発明の実施の形態２に係る情報端末装置の構成を示す分解斜視図である。同図に示す情報端末装置１０２は、情報の入力を受ける入力部２、無線ＩＣタグや非接触型ＩＣカード等の外部情報記憶媒体との間で無線通信を行うために電波を送受信するアンテナ３、アンテナ３の駆動制御を行って少なくとも外部情報記憶媒体から情報の読取を行うＲＦＩＤ処理部４、光学情報記録媒体から光学的な情報の読取を行う光学情報読取部５、ＲＦＩＤ処理部４および光学情報読取部５における情報読取処理の切替を行う処理切替部６、外部情報記憶媒体または光学情報記録媒体から読み取った情報等を表示出力する表示部７、外部との通信を行う外部通信部８、所定の記憶媒体に情報を記録するカードインターフェース９、音声情報の入出力を行う音声入出力部１０、各種処理を行うためのプログラムおよびこのプログラムに用いるデータを記憶する記憶部１１、前述した各部が有する機能を制御する制御部１２を有する。
【００７６】
この実施の形態においては、処理切替部６としてスライドスイッチを適用する。このスライドスイッチは、切替キーとしてのスライド部材６３と、このスライド部材６３の先端部が接触して電気的な接続状態の切替を行うスイッチ部６４とを有する。そして、スイッチ部６４は、制御部１２を配備した配線基板とリード線等で接続されている。
【００７７】
なお、この実施の形態に係る情報端末装置１０２は、以上説明したように処理切替部６としてスライド部材６３、および対応するスイッチ部６４を設けた点を除いて、実施の形態１における情報端末装置１と同様に構成される。すなわち、情報端末装置１０２は、図７にも示すように、操作部２１、表示窓１３１、表示部７、シールド板１６、弾性部材１５、ホルダー１７、配線基板１８、スイッチ部２２、電源収納部１４２ａ、電源カバー１４２ｂ、電源１９を更に備えており、これらの構成要素を、筐体部材１３および１４を用いて形成される装置筐体部分の内部または表面に適当に配置することにより、情報端末装置１０２が構成される。
【００７８】
図８は、スライド部材６３の構成例を示す図であり、具体的には、図８−１が図７の矢視Ａ方向の側面図であり、図８−２は図８−１の矢視Ｂ方向からスライド部材６３のみを見たときの矢視図、図８−３は図８−１の矢視Ｃ方向からスライド部材６３のみを見たときの矢視図である。この図８に示すように、スライド部材６３には複数の線状の導体から成る可動切片６３１が本体部分に取り付けられており、装置組立時には、この可動切片６３１の先端部６３２（以後、単に先端部６３２と称することもある）が、スイッチ部６４の表面を押圧して接触する。なお、図８−２では、装置筐体部分に取り付けられる前の可動切片６３１を実線で示すとともに、装置組立時にスイッチ部６４としているときの可動切片６３１を２点鎖線で示している。また、図８−３は、装置取付前の状態を示している。
【００７９】
スライド部材６３の可動切片先端部６３２が接触するスイッチ部６４表面には、図９に模式的に示すようなパターンを有する３つの電極６４Ｇ、６４１、６４２が設けられている。より具体的には、可動切片６３１をなす複数の線状部材の先端部６３２のうち一部が常に接触するグランド電極６４Ｇ、並びにスライド部材６３の位置が移動することによって先端部６３２のうちグランド電極６４Ｇと接触していない部分とそれぞれ接触可能である第１の電極６４１および第２の電極６４２から上記パターンが形成される。
【００８０】
図１０は、筐体部材１３の側面に沿ったスライド部材６３の移動に伴うスイッチの切替を模式的に説明する図である。このうち、図１０−１に示す初期状態α０では、先端部６３２はグランド電極６４Ｇとのみ接触し、ＲＦＩＤ処理部４および光学情報読取部５がともに起動せず中立な状態である。スライド部材６３が図１０−２の矢印に示す方向に移動し、同図に示す位置で停止すると、先端部６３２は、電極６４１とも接触する状態に達する（状態α１）。この結果、状態α１では、電極６４１と６４Ｇとが導通する。そこで、この図１０−２に示す状態α１を例えばＲＦＩＤ処理部４を起動する状態に対応させる。さらにスライド部材６３が移動した場合、先端部６３２は、図１０−３に示すように、電極６４１と接触しなくなる代わりに、電極６４２と接触する状態に達する（状態α２）。このように、スライド部材６３が図１０−３に示す位置で停止した状態α２を、光学情報読取部５を起動させる状態に対応付ける。以上により、この実施の形態における情報読取の切替処理を実現することができる。
【００８１】
なお、状態α１およびα２と起動すべき読取処理との対応関係は上述したものに限られるわけではなく、例えば、状態α１ではＲＦＩＤ処理部４のみ起動し、状態α２ではＲＦＩＤ処理部４と光学情報読取部５の両方を起動するようにしてもよい。また、このような対応関係は、利用者が入力部２から必要な情報を適宜入力し、記憶部１１で記憶することによって所望の対応関係を設定するようにしてもよい。
【００８２】
以上説明した本発明の実施の形態２によれば、スライド部材を用いて切替手段を構成することにより、実施の形態１と同様の効果、すなわち、多機能を有しつつも、高い操作性を備えた情報端末装置を提供することができる。
【００８３】
また、この実施の形態によれば、スライド部材の停止位置に応じて制御の切替を行うため、情報読取処理の切替制御が単純となり、装置の構成も簡素化できる。
【００８４】
図１１は、この実施の形態の変形例として、スイッチ部に設けられる電極のパターンの別な構成例を模式的に示す図である。同図に示すスイッチ部６４−２の場合、可動切片６３１の先端部６３２の一部が常に接触するグランド電極６４Ｇの他に、スライド部材６３の停止位置に応じて、グランド電極６４Ｇと接触していない先端部６３２が接触し得る電極６４１Ａ、６４２Ａ、６４１Ｂ、６４２Ｂが設けられている。ここで、６４１Ａおよび６４１Ｂ、並びに６４２Ａおよび６４２Ｂは、それぞれ同一の電極であり、例えばスイッチ部６４−２の図１１とは反対側の面において連結している。
【００８５】
情報読取処理が起動していない初期状態β０では、スライド部材６３の先端部６３２はグランド電極６４Ｇとのみ接触している。スライド部材６３が、この初期状態β０にある位置から図１０に示すのと同様の方向、すなわち図１１の水平右方向に相当する方向に移動すると、先端部６３２のうちグランド電極６４Ｇと接触していない部分が電極６４１Ａと接触する状態に達する（状態β１）。そこでこの状態β１を、例えばＲＦＩＤ処理部４を起動する状態に対応させる。スライド部材６３が更に移動すると、先端部６３２のうちグランド電極６４Ｇと接触していない部分が電極６４２Ａと接触する状態に達する（状態β２）。この状態β２を、光学情報読取部５を起動する状態に対応させる。更にスライド部材６３が移動すると、先端部６３２のうちグランド電極６４Ｇと接触していない部分が電極６４１Ｂおよび６４２Ｂと接触する状態に達する（状態β３）。この状態β３を、ＲＦＩＤ処理部４および光学情報読取部５を起動する状態、すなわち二つの情報読取処理を同時に行う状態に対応させる。したがって、以上説明した構成を有するスイッチ部６４−２を用いれば、外部情報記憶媒体および光学情報記録媒体からの情報の読取を同時に行うことが可能となる。
【００８６】
図１２は、この実施の形態の第２の変形例として、スイッチ部に設けられる電極パターンの別な構成例を与えるものである。同図に示すスイッチ部６４−３の場合に表面に設けられる電極は、この実施の形態におけるスイッチ部６４と同様にグランド電極６４Ｇ、電極６４１、電極６４２の３つであるが、電極６４１および６４２のパターンが異なる。
【００８７】
情報読取処理が起動していない初期状態γ０では、スライド部材６３の先端部６３２は、グランド電極６４Ｇとのみ接触している。スライド部材６３が、この初期状態β０にある位置から図１０に示すのと同様の方向、すなわち図１２の水平右方向に相当する方向に移動すると、先端部６３２のうちグランド電極６４Ｇと接触していない部分が電極６４１と接触する状態に達する（状態γ１）。そこで、例えばこの状態γ１を、ＲＦＩＤ処理部４を起動する状態に対応させる。スライド部材６３が更に移動すると、先端部６３２のうちグランド電極６４Ｇと接触していない部分が電極６４１および電極６４２と接触する状態に達する（状態γ２）。この状態γ２を、ＲＦＩＤ処理部４および光学情報読取部５を起動する状態、すなわち二つの情報読取処理を同時に行う状態に対応させる。更にスライド部材６３が移動すると、先端部６３２のうちグランド電極６４Ｇと接触していない部分が電極６４２とのみ接触する状態に達する（状態γ３）。この状態γ３を、光学情報読取部５起動させて情報の光学的な読取を行う状態に対応付ける。したがって、スイッチ部６４−２を用いる場合にも、外部情報記憶媒体および光学情報記録媒体からの情報の読取を同時に実現することが可能となる。
【００８８】
（実施の形態３）
図１３は、本発明の実施の形態３に係る情報端末装置の構成を示す正面図である。同図に示す情報端末装置１０３は、上述した二つの実施の形態と同様の機能を備える。すなわち、この情報端末装置１０３は、情報の入力を受ける入力部２、無線ＩＣタグや非接触型ＩＣカード等の外部情報記憶媒体との間で無線通信を行うために電波を送受信するアンテナ３、アンテナ３の駆動制御を行って少なくとも外部情報記憶媒体から情報の読取を行うＲＦＩＤ処理部４、光学情報記録媒体から光学的に情報の読取を行う光学情報読取部５、ＲＦＩＤ処理部４および光学情報読取部５における情報読取処理の切替を行う処理切替部６、外部情報記憶媒体または光学情報記録媒体から読み取った情報等を表示出力する表示部７、外部との通信を行う外部通信部８、所定の記憶媒体に情報を記録するカードインターフェース９、音声情報の入出力を行う音声入出力部１０、各種処理を行うためのプログラムおよびこのプログラムに用いるデータを記憶する記憶部１１、前述した各部が有する機能を制御する制御部１２を有する。
【００８９】
この実施の形態においては、処理切替部６が、二つの押圧部材６１ａおよび６１ｂ、並びに各押圧部材に対応するスイッチを備えたスイッチ部（図示せず）を有している。そして、利用者が押圧部材６１ａを操作したときにはＲＦＩＤ処理部４が起動してＲＦＩＤ読取処理を行う一方、利用者が押圧部材６１ｂを操作したときには光学情報読取部５が起動して光学情報読取処理を行う。読取処理の終了は、それぞれ対応する方の押圧部材が２回押圧されたときに終了する。したがって、この実施の形態においては双方の読取処理を独立に行うことができる。なお、押圧部材６１ａおよび６１ｂと起動すべき情報読取手段（ＲＦＩＤ処理部および光学情報読取部）の対応を上記と逆にしても構わない。
【００９０】
なお、二つの押圧部材６１ａおよび６１ｂの形状を変えたり、押圧部分の大きさを変えたりしてもよい。これにより、利用者が所望の読取処理を選択する際に操作すべき切替キーの選択を誤る可能性を低減できるとともに、暗所においても利用者の読取処理選択の便宜を図ることができる。
【００９１】
この実施の形態に係る情報端末装置１０３は、以上説明したように処理切替部６として二つの押圧部材６１ａおよび６１ｂ、並びに対応するスイッチ部を設けた点を除いて、実施の形態１における情報端末装置１と同様に構成される。すなわち、情報端末装置１０３は、操作部２１、表示窓１３１、表示部７、シールド板１６、弾性部材１５、ホルダー１７、配線基板１８、スイッチ部２２、電源収納部１４２ａ、電源カバー１４２ｂ、電源１９を更に備えており、これらの構成要素を、筐体部材１３および１４を用いて形成される装置筐体部分の内部または表面に適当に配置することにより、情報端末装置１０３が構成される（図２を参照）。
【００９２】
以上説明した本発明の実施の形態３によれば、二つの押圧部材を二つの読取処理の起動するために設けることにより、多機能を具備しつつも、高い操作性を備えた情報端末装置を提供することができる。
【００９３】
また、この実施の形態によれば、処理切替部として二つの押圧部材を用いているため、双方の操作を独立に行うことができる。
【００９４】
図１４は、この実施の形態の一変形例に係る情報端末装置の構成を示す正面図である。同図に示す情報端末装置１０４では、二つの押圧部材６１ａと６１ｂとが装置筐体部分の対向する側面上に設けられている。したがって、この一変形例においては、二つの押圧部材と読取処理との対応関係が一層明確になり、利用者による誤作動を防止する効果を更に得ることができる。なお、二つの押圧部材６１ａと６１ｂは、少なくとも情報端末装置の重心を通過する一つの平面に対して対称な位置に配置されていてもよい。
【００９５】
ここまで、本発明の好ましい実施の形態を実施の形態１〜３として詳述したが、本発明の構成はそれらに限定されるものではない。
【００９６】
以上の説明においては、情報端末装置が、ＲＦＩＤ処理部と光学情報読取部とを一つずつ備えた場合について説明したが、更に多数の読取機能を具備する情報端末装置に対しても本発明を適用することができる。例えば、複数の周波数帯域の電波を送受信可能にすれば、その電波に応じて通信可能なＲＦＩＤ読取処理の数が変わる。他方、光学情報記録媒体にもさまざまな種類があるため、情報端末装置が各種光学情報記録媒体からの情報読取機能を有する光学情報読取部を備えることにより、複数の光学情報記録媒体からの情報の読取を行うことができる。そして、このように複数の情報読取手段を備えた場合にも、切替キーの操作と起動すべき情報読取手段の対応を予め設定しておくことにより、起動すべき情報読取処理の切替を的確に行うことができる。
【００９７】
また、表示部としてＬＥＤ（Light Emitting Diode）を更に設置し、ＲＦＩＤ処理部を起動してＲＦＩＤ読取処理を実行させる指示が外部から入力されたときは、このＬＥＤを点灯させることによって利用者にＲＦＩＤ誌取処理の起動を告知するようにしてもよい。さらに、ＬＥＤを二つ設置し、光学情報読取処理の起動時にもＬＥＤが発光するようにすることも可能である。この場合には、二つのＬＥＤが発光する色を変えておけば、暗所においても利用者は読取処理の選択を誤る可能性を低減することができる。
【００９８】
なお、本発明は、携帯電話、ＰＨＳ（Personal Handyphone System）、ＰＤＡ端末等を含むさまざまな種類の小型携帯端末に対して適用することが可能である。
【００９９】
このように、本発明は、ここでは記載していないさまざまな実施の形態等を含みうるものであり、特許請求の範囲により特定される技術的事項を逸脱しない範囲内において種々の設計変更等を施すことが可能である。
【図面の簡単な説明】
【０１００】
【図１】本発明の実施の形態１に係る情報端末装置の機能構成を示すブロック図である。
【図２】本発明の実施の形態１に係る情報端末装置の構成を示す分解斜視図である。
【図３】処理対応テーブルの概要を示す説明図である。
【図４】本発明の実施の形態１に係る情報端末装置の制御方法の処理の流れを示すフローチャートである。
【図５】本発明の実施の形態１の一変形例に係る情報端末装置の制御方法の処理の流れを示すフローチャートである。
【図６−１】２段タクトスイッチを構成する押圧部材を押下していない状態を説明する図である。
【図６−２】２段タクトスイッチを構成する押圧部材を１段押下した状態を説明する図である。
【図６−３】２段タクトスイッチを構成する押圧部材を押下し切った状態を説明する図である。
【図７】本発明の実施の形態２に係る情報端末装置の構成を示す分解斜視図である。
【図８−１】スライド部材の構成を示す図であり、図７の矢視Ａ方向の側面図である。
【図８−２】図８−１の矢視Ｂ方向からスライド部材のみを見たときの矢視図である。
【図８−３】図８−１の矢視Ｃ方向からスライド部材のみを見たときの矢視図である。
【図９】スイッチ部表面に設けられる電極のパターンを模式的に示す説明図である。
【図１０−１】スライド部材の移動に伴うスイッチの切替を説明する図であり、スライド部材の可動切片先端部が、グランド電極とのみ接触している状態を示す説明図である。
【図１０−２】スライド部材の可動切片先端部が、グランド電極および第１の電極に接触している状態を示す説明図である。
【図１０−３】スライド部材の可動切片先端部が、グランド電極および第２の電極に接触している状態を示す説明図である。
【図１１】スイッチ部表面に設けられる電極のパターンの別な例を模式的に示す説明図である。
【図１２】スイッチ部表面に設けられる電極のパターンの第３例を模式的に示す説明図である。
【図１３】本発明の実施の形態３に係る情報端末装置の構成を示す正面図である。
【図１４】本発明の実施の形態３の一変形例に係る情報端末装置の構成を示す正面図である。
【符号の説明】
【０１０１】
１、１０２、１０３、１０４  情報端末装置
２  入力部
３  アンテナ
４  ＲＦＩＤ処理部（第１の情報読取手段）
５  光学情報読取部（第２の情報読取手段）
６  処理切替部（切替手段）
７  表示部
８  外部通信部
９  カードインターフェース
１０  音声入出力部
１１  記憶部
１１ｔ  処理対応テーブル
１２  制御部（制御手段）
１３、１４  筐体部材
１５  弾性部材
１６  シールド板
１７  ホルダー
１８  配線基板
１９  電源
２１  操作部
２２、６２、６４、６４−２、６４−３  スイッチ部
６１、６１ａ、６１ｂ  押圧部材
６３  スライド部材
６４Ｇ  グランド電極
１３１  表示窓
１４１  開口部
１４２ａ  電源収納部
１４２ｂ  電源カバー
６３１  可動切片
６３２  先端部
６４１、６４２  電極
【図１】
2006172321.tif 000003
【図２】
2006172321.tif 000004
【図３】
2006172321.tif 000005
【図４】
2006172321.tif 000006
【図５】
2006172321.tif 000007
【図６−１】
2006172321.tif 000008
【図６−２】
2006172321.tif 000009
【図６−３】
2006172321.tif 000010
【図７】
2006172321.tif 000011
【図８−１】
2006172321.tif 000012
【図８−２】
2006172321.tif 000013
【図８−３】
2006172321.tif 000014
【図９】
2006172321.tif 000015
【図１０−１】
2006172321.tif 000016
【図１０−２】
2006172321.tif 000017
【図１０−３】
2006172321.tif 000018
【図１１】
2006172321.tif 000019
【図１２】
2006172321.tif 000020
【図１３】
2006172321.tif 000021
【図１４】
2006172321.tif 000022